(57)【要約】【課題】画像表示装置が再生可能なデータを確実に供給し、画像表示装置がデータを再生不可能な場合は警告を出力すること。【解決手段】コンピューターの制御部のスペック情報受信手段は、ネットワーク通信部からプロジェクターから送信されるスペック情報を受信する。再生可否判定手段は、スペック情報とユーザによって再生要求された動画ファイルの属性情報とを比較して、当該動画ファイルがプロジェクターにおいて再生可能かどうかを判定する。警告出力手段は、当該動画ファイルがプロジェクターにおいて再生不可能であると判定された場合、その旨をユーザに通知する警告を出力部より発する。データ送信手段は、当該動画ファイルがプロジェクターで再生可能であると判定された場合、プロジェクターに動画ファイルのデータを送信する。【選択図】図２
2010232760.tif 000002
【特許請求の範囲】
【請求項１】
画像表示装置にデータを送信する画像供給装置であって、
前記画像表示装置の動画再生性能を示すスペック情報を受信するスペック情報受信手段と、
前記動画ファイルから前記画像表示装置に送信する動画ファイルを選択する指示データの入力を受け付ける動画ファイル選択受付手段と、
当該選択された動画ファイルから動画再生に必要な環境を示す属性情報を取得する属性情報取得手段と、
前記スペック情報と前記属性情報とを比較して、前記画像表示装置が当該動画ファイルを再生可能か否かを判定する判定手段と、
前記判定手段により前記画像表示装置が当該動画ファイルを再生できないと判定された場合、出力装置に警告を出力する警告出力手段と、
前記判定手段により前記画像表示装置が当該動画ファイルを再生可能と判断された場合に、当該動画ファイルのデータを前記画像表示装置に送信する送信手段と、
を備えることを特徴とする画像供給装置。
【請求項２】
前記スペック情報は、前記再生装置が有するコーデック、解像度、ビットレートに関する情報を有し、
前記動画ファイルの属性情報は、当該動画ファイルの再生に必要なコーデック、解像度、ビットレートに関する情報を有し、
前記判定手段は、
前記属性情報のコーデックと前記スペック情報のコーデックが一致し、かつ、前記属性情報の解像度が前記スペック情報の解像度の範囲内であり、かつ、前記属性情報のビットレートが前記スペック情報のビットレートの範囲内である場合に、当該動画ファイルは前記画像表示装置で再生可能であると判定することを特徴とする請求項１記載の画像供給装置。
【請求項３】
画像表示装置と、前記画像表示装置に対してデータ送受信可能に接続された画像供給装置とを有する画像供給システムであって、
前記画像表示装置は、
画像表示制御部と、
自身の画像表示性能を示すスペック情報を記憶する記憶部と、
を備え、
前記画像表示制御部は、
前記スペック情報を前記画像供給装置に送信する手段と、
前記画像供給装置から送信されたデータを基に動画を再生する手段と、
を備え、
前記画像供給装置は、
画像供給制御部と、
動画ファイルを記憶する記憶部と、
を備え、
前記画像供給制御部は、
前記スペック情報を受信するスペック情報受信手段と、
前記動画ファイルから前記画像表示装置に送信する動画ファイルの選択を受け付ける動画ファイル選択受付手段と、
当該選択された動画ファイルから動画再生に必要な環境を示す属性情報を取得する属性情報取得手段と、
前記スペック情報と前記属性情報とを比較して、前記画像表示装置が当該動画ファイルを再生可能か否かを判定する判定手段と、
前記判定手段により前記画像表示装置が当該動画ファイルを再生できないと判定された場合、出力装置に警告を出力する警告出力手段と、
前記判定手段により前記画像表示装置が当該動画ファイルを再生可能と判断された場合に、当該動画ファイルのデータを前記画像表示装置に送信する送信手段と、
を備えることを特徴とする画像供給システム。
【請求項４】
画像表示装置にデータを送信する画像供給方法であって、
前記画像表示装置が自身の画像表示性能を示すスペック情報を前記画像供給装置に送信するステップと、
前記画像供給装置が前記スペック情報を受信するステップと、
前記画像供給装置が、自身の記憶する動画ファイルから前記画像表示装置に送信する動画ファイルの選択を受け付けるステップと、
前記画像供給装置が、当該選択された動画ファイルから動画再生に必要な環境を示す属性情報を取得するステップと、
前記画像供給装置が、前記スペック情報と前記属性情報とを比較して、前記画像表示装置が当該動画ファイルを再生可能か否かを判定するステップと、
前記画像表示装置が当該動画ファイルを再生できないと判定された場合、前記画像供給装置が警告を出力するステップと、
前記画像表示装置が当該動画ファイルを再生可能と判断された場合に、前記画像供給装置が当該動画ファイルのデータを前記画像表示装置に送信する送信手段と、
前記画像表示装置が、前記画像供給装置から送信されたデータを基に動画を再生するステップと、
を備えることを特徴とする画像供給方法。
【請求項５】
画像表示装置に対してデータ送受信可能に接続されたコンピューターに、
前記画像表示装置の動画再生性能を示すスペック情報を受信するステップと、
自身が記憶する動画ファイルから前記画像表示装置に送信する動画ファイルの選択を受け付けるステップと、
当該選択された動画ファイルから動画再生に必要な環境を示す属性情報を取得するステップと、
前記スペック情報と前記属性情報とを比較して、前記画像表示装置が当該動画ファイルを再生可能か否かを判定するステップと、
前記画像表示装置が当該動画ファイルを再生できないと判定された場合、出力装置に警告を出力するステップと、
前記画像表示装置が当該動画ファイルを再生可能と判断された場合に、当該動画ファイルのデータを前記画像表示装置に送信するステップと、
を実行させるためのプログラム。
【請求項６】
画像表示装置に対してデータ送受信可能に接続されたコンピューターに、
前記画像表示装置の動画再生性能を示すスペック情報を受信するステップと、
自身が記憶する動画ファイルから前記画像表示装置に送信する動画ファイルの選択を受け付けるステップと、
当該選択された動画ファイルから動画再生に必要な環境を示す属性情報を取得するステップと、
前記スペック情報と前記属性情報とを比較して、前記画像表示装置が当該動画ファイルを再生可能か否かを判定するステップと、
前記画像表示装置が当該動画ファイルを再生できないと判定された場合、出力装置に警告を出力するステップと、
前記画像表示装置が当該動画ファイルを再生可能と判断された場合に、当該動画ファイルのデータを前記画像表示装置に送信するステップと、
を実行させるためのプログラムを記録した記録媒体。
【発明の詳細な説明】
【技術分野】
【０００１】
本発明は、動画等を再生する画像表示装置にデータを供給するデータ供給技術に関する。
【背景技術】
【０００２】
近年、動画や音楽などのコンテンツをサーバコンピューターからダウンロードし、携帯端末やコンピューター等の再生端末で再生するコンテンツ利用が増えている。この際、再生端末がコンテンツのファイル形式やビットレートなどに対応していないとコンテンツを再生することができない。
特許文献１では、再生端末自身が再生可能なコンテンツのファイル形式とビットレートを、再生端末がコンピューターに送信し、コンピューターは再生端末に転送するコンテンツが送信されたファイル形式とビットレートでは再生できないと判定すると、コンテンツを再生端末に適したファイル形式やビットレートに変換して、再生端末に送信する技術が記載されている。
【０００３】
一方、プロジェクターの普及が高まり、企業などの業務への利用だけでなく、家庭などにおけるプライベートな利用が増えてきた。利用形態として、データ（動画、静止画、音声）を供給するコンピューター等とプロジェクターを接続し、コンピューターは自身が記憶し、再生可能なデータをプロジェクターに送信し、送信されたデータをプロジェクターが再生する形態がある。
【先行技術文献】
【特許文献】
【０００４】
【特許文献１】特開２００８−５２０２６号公報
【発明の概要】
【発明が解決しようとする課題】
【０００５】
しかしながら、コンピューターから送信されたデータをプロジェクターが再生する場合、プロジェクターのスペックが当該データに対応していないと、プロジェクターで表示することができないという問題が生じる。この場合でも、コンピューターは自身では問題なくデータを再生できるためプロジェクターに対してデータを送信し続ける。従って、プロジェクターでデータが再生されない原因が、プロジェクター自身に不具合が発生しているからであるのか、それとも、データの形式が適合していないことが問題であるのかを、ユーザが判断し難いという問題がある。
ここで、特許文献１に記載されているように、コンピューターがデータをプロジェクターで再生可能な形式に変換して送信することも可能であるが、動画のファイルが大きい場合、データ形式を変換するコンピューター側の処理の負荷が大きくなるとともに、処理に係る時間が長引いてしまうという問題が生じる。
本発明の目的は、以上の点に鑑みてなされたものであり、プロジェクターが再生できない原因が、利用対象のファイル側にあるか否かを把握できる画像供給装置、画像供給システム、画像供給方法、プログラム、及び記録媒体を提供することにある。
【課題を解決するための手段】
【０００６】
前述した目的を達成するために本発明は、画像表示装置にデータを送信する画像供給装置であって、制御部と、動画ファイルを記憶する記憶部とを備え、前記制御部は、前記画像表示装置の動画再生性能を示すスペック情報を受信するスペック情報受信手段と、前記動画ファイルから前記画像表示装置に送信する動画ファイルの選択を受け付ける動画ファイル選択受付手段と、当該選択された動画ファイルから動画再生に必要な環境を示す属性情報を取得する属性情報取得手段と、前記スペック情報と前記属性情報とを比較して、前記画像表示装置が当該動画ファイルを再生可能か否かを判定する判定手段と、前記判定手段により前記画像表示装置が当該動画ファイルを再生できないと判定された場合、出力装置に警告を出力する警告出力手段と、前記判定手段により前記画像表示装置が当該動画ファイルを再生可能と判断された場合に、当該動画ファイルのデータを前記画像表示装置に送信する送信手段と、を備えることを特徴とする画像供給装置である。
【０００７】
また、本発明では、スペック情報は、前記再生装置が有するコーデック、解像度、ビットレートに関する情報を有し、動画ファイルの属性情報は、当該動画ファイルの再生に必要なコーデック、解像度、ビットレートに関する情報を有し、判定手段は、前記属性情報のコーデックと前記スペック情報のコーデックが一致し、かつ、前記属性情報の解像度が前記スペック情報の解像度の範囲内であり、かつ、前記属性情報のビットレートが前記スペック情報のビットレートの範囲内である場合に、当該動画ファイルは前記画像表示装置で再生可能であると判定することを特徴とする。
【０００８】
また、第２の発明は、画像表示装置と、前記画像表示装置に対してデータ送受信可能に接続された画像供給装置とを有する画像供給システムであって、前記画像表示装置は、画像表示制御部と、自身の画像表示性能を示すスペック情報を記憶する記憶部とを備え、前記画像表示制御部は、前記スペック情報を前記画像供給装置に送信する手段と、前記画像供給装置から送信されたデータを基に動画を再生する手段と、を備え、前記画像供給装置は、画像供給制御部と、動画ファイルを記憶する記憶部と、を備え、前記画像供給制御部は、前記スペック情報を受信するスペック情報受信手段と、前記動画ファイルから前記画像表示装置に送信する動画ファイルの選択を受け付ける動画ファイル選択受付手段と、当該選択された動画ファイルから動画再生に必要な環境を示す属性情報を取得する属性情報取得手段と、前記スペック情報と前記属性情報とを比較して、前記画像表示装置が当該動画ファイルを再生可能か否かを判定する判定手段と、前記判定手段により前記画像表示装置が当該動画ファイルを再生できないと判定された場合、出力装置に警告を出力する警告出力手段と、前記判定手段により前記画像表示装置が当該動画ファイルを再生可能と判断された場合に、当該動画ファイルのデータを前記画像表示装置に送信する送信手段と、を備えることを特徴とする画像供給システムである。
【０００９】
また、第２の発明は、画像表示装置と、前記画像表示装置に対してデータ送受信可能に接続された画像供給装置とを有する画像供給システムであって、前記画像表示装置は、画像表示制御部と、自身の画像表示性能を示すスペック情報を記憶する記憶部とを備え、前記画像表示制御部は、前記スペック情報を前記画像供給装置に送信する手段と、前記画像供給装置から送信されたデータを基に動画を再生する手段と、を備え、前記画像供給装置は、画像供給制御部と、動画ファイルを記憶する記憶部と、を備え、前記画像供給制御部は、前記スペック情報を受信するスペック情報受信手段と、前記動画ファイルから前記画像表示装置に送信する動画ファイルの選択を受け付ける動画ファイル選択受付手段と、当該選択された動画ファイルから動画再生に必要な環境を示す属性情報を取得する属性情報取得手段と、前記スペック情報と前記属性情報とを比較して、前記画像表示装置が当該動画ファイルを再生可能か否かを判定する判定手段と、前記判定手段により前記画像表示装置が当該動画ファイルを再生できないと判定された場合、出力装置に警告を出力する警告出力手段と、前記判定手段により前記画像表示装置が当該動画ファイルを再生可能と判断された場合に、当該動画ファイルのデータを前記画像表示装置に送信する送信手段と、を備えることを特徴とする画像供給システムである。
【００１０】
また、第３の発明は、画像表示装置にデータを送信する画像供給方法であって、前記画像表示装置が自身の画像表示性能を示すスペック情報を前記画像供給装置に送信するステップと、前記画像供給装置が前記スペック情報を受信するステップと、前記画像供給装置が、自身の記憶する動画ファイルから前記画像表示装置に送信する動画ファイルの選択を受け付けるステップと、前記画像供給装置が、当該選択された動画ファイルから動画再生に必要な環境を示す属性情報を取得するステップと、前記画像供給装置が、前記スペック情報と前記属性情報とを比較して、前記画像表示装置が当該動画ファイルを再生可能か否かを判定するステップと、前記画像表示装置が当該動画ファイルを再生できないと判定された場合、前記画像供給装置が警告を出力するステップと、前記画像表示装置が当該動画ファイルを再生可能と判断された場合に、前記画像供給装置が当該動画ファイルのデータを前記画像表示装置に送信する送信手段と、前記画像表示装置が、前記画像供給装置から送信されたデータを基に動画を再生するステップと、を備えることを特徴とする画像供給方法である。
【００１１】
また、第４の発明は、画像表示装置に対してデータ送受信可能に接続されたコンピューターに、前記画像表示装置の動画再生性能を示すスペック情報を受信するステップと、自身が記憶する動画ファイルから前記画像表示装置に送信する動画ファイルの選択を受け付けるステップと、当該選択された動画ファイルから動画再生に必要な環境を示す属性情報を取得するステップと、前記スペック情報と前記属性情報とを比較して、前記画像表示装置が当該動画ファイルを再生可能か否かを判定するステップと、前記画像表示装置が当該動画ファイルを再生できないと判定された場合、出力装置に警告を出力するステップと、前記画像表示装置が当該動画ファイルを再生可能と判断された場合に、当該動画ファイルのデータを前記画像表示装置に送信するステップと、を実行させるためのプログラムである。
また、第５の発明は、第４の発明であるプログラムを記録した記録媒体である。
【００１２】
本発明によれば、画像表示装置は再生可能なデータを確実に供給することが可能であり、画像表示装置が動画データを再生不可能な場合は画像供給装置が警告を出力するため、ユーザは容易に原因を知ることが可能である。
【図面の簡単な説明】
【００１３】
【図１】本発明の実施の形態に係る画像供給システムのハードウェア構成図である。
【図２】同実施形態に係る画像供給装置の機能ブロック構成図である。
【図３】同実施形態に係る画像供給システムの処理の流れを示すシーケンス図である。
【発明を実施するための形態】
【００１４】
以下、添付図面を参照しながら、本発明の好適な実施形態について詳細に説明する。
図１は、画像供給システム１の概略構成図である。画像供給システム１は、画像供給装置であるコンピューター３と画像表示装置であるプロジェクター５とから構成される。コンピューター３とプロジェクター５は、ネットワークケーブル６でデータ送受信可能に接続される。ネットワークケーブル６は、ＬＡＮ（Local Area Network）ケーブルでもよいし、ＵＳＢ（Universal Serial Bus）ケーブル等でもよい。
【００１５】
コンピューター３は、制御部３１、記憶部３２、入力部３４、出力部３５、ネットワーク通信部３６を有する。制御部３１は、中央演算処理装置（ＣＰＵ：Central Processing Unit）やマイクロプロセッサ等であり、コンピューター３の各部の制御や後述する処理を行う。記憶部３２は、例えば、不揮発性メモリー、揮発性メモリー、ハードディスクといった記憶装置であり、動画ファイル４１及び後述の処理を実行するプログラム等を記憶する。
【００１６】
動画ファイル４１は、ヘッダー情報、動画データ等を有する。ヘッダー情報には、当該動画データのコーデック（codec）、解像度（resolution）、ビットレート（bit rate）といった当該動画データを再生するために必要な動画再生環境に関する情報（属性情報）が含まれる。
動画データは大抵圧縮されており、コーデックは、圧縮された動画データ（映像データ、音声データ）を解凍するために必要な圧縮伸張ソフトウェアであり、ＭＰＥＧ−２、ＭＰＥＧ−４等の各圧縮規格に対応したＭＰＥＧ−４ｖ３、ＤｉｖＸ（登録商標）といった様々なコーデックがある。
【００１７】
解像度は、当該データの画素数を示す値であり、ドット数［ｄｏｔ］で示され、ここでは、例えば、８００×６００［ｄｏｔ］という情報である。
ビットレートは、圧縮された動画データが、１秒あたりにどのくらいの情報量を送信あるいは受信しているかを示す値であり、例えば、８［Ｍｂｐｓ］等の情報である。
入力部３４は、キーボードやマウスといった入力装置であり、動画ファイルからプロジェクター５に送信する動画ファイルを選択する指示データの入力を受け付ける。出力部３５は、ディスプレイ装置やスピーカなどの出力装置である。ネットワーク通信部３６は、ネットワークケーブル６を介してプロジェクター５とのデータの送受信を行う。
【００１８】
プロジェクター５は、制御部５１、記憶部５２、入力部５４、出力部５５、ネットワーク通信部５６を有する。制御部５１は、中央演算処理装置（ＣＰＵ）やマイクロプロセッサ等であり、他の各部の制御や後述する処理を行う。
記憶部５２は、例えば、不揮発性メモリー、揮発性メモリー、ハードディスクといった記憶装置であり、スペック情報６１を記憶する。
スペック情報６１とは、プロジェクター５が有するコーデック（codec）、プロジェクターの表示能力を示す解像度（resolution）、プロジェクター５が単位時間当たりに再生可能なデータ量を示すビットレート等を含む情報であり、プロジェクター５の動画再生性能（動画再生スペック）に関する情報である。例えば、プロジェクター５のスペック情報６１の一例として、「ＭＰＥＧ−２コーデックで解像度は７２０×５７６［ｄｏｔ］、ビットレートは８［Ｍｂｐｓ］」、「ＨＤコーデックで解像度は１４４０×１０２４［ｄｏｔ］、ビットレートは２０［Ｍｂｐｓ］」のような情報である。
【００１９】
入力部５４は、プロジェクター５を操作するための操作ボタン等の入力装置である。出力部５５は、投影装置やスピーカなどの出力装置である。ネットワーク通信部５６は、ネットワークケーブル６を介してコンピューター３とのデータ送受信を行う装置である。
【００２０】
図２は、コンピューター３の制御部３１の機能ブロック構成図を示す図である。
制御部３１は、インターフェイス１００、スペック情報受信手段１０１、再生可否判定手段１０２、警告出力手段１０３、データ送信手段１０４を有する。
コンピューター３の記憶部３２、入力部３４、出力部３５、ネットワーク通信部３６は、インターフェイス１００を介して、各処理機能部であるスペック情報受信手段１０１、再生可否判定手段１０２、警告出力手段１０３、データ送信手段１０４に接続され、処理を行う。
【００２１】
スペック情報受信手段１０１は、ネットワーク通信部３６を介してプロジェクター５から送信されるスペック情報６１を受信する。再生可否判定手段１０２は、ユーザによって再生要求された動画ファイル４１の属性情報とスペック情報６１とを比較して、動画ファイル４１がプロジェクター５において再生可能かどうかを判定する。警告出力手段１０３は、再生可否判定手段１０２において、当該動画ファイル４１がプロジェクター５において再生不可能であると判定された場合、その旨をユーザに通知する警告を出力部３５より発する。データ送信手段１０４は、再生可否判定手段１０２がプロジェクター５において当該動画ファイル４１を再生可能であると判定した場合、プロジェクター５に動画ファイル４１のデータを送信する。
【００２２】
次に、画像供給システム１の動作について説明する。
ここでは、ユーザが、コンピューター３とプロジェクター５をネットワークケーブル６で接続し、コンピューター３に記憶される動画ファイル４１をプロジェクター５にて再生要求する場合を例に説明する。
図３は画像供給システム１の処理の流れを示すシーケンス図である。
コンピューター３とプロジェクター５を接続が確認されると、プロジェクター５の制御部５１は、記憶部５２からスペック情報６１を読み出し、ネットワーク通信部５６からコンピューター３に送信する（ステップＳ２０１）。
【００２３】
コンピューター３の制御部３１のスペック情報受信手段１０１は、ネットワーク通信部３６を通してスペック情報６１を受信する（ステップＳ２０２）。コンピューター３は、入力部３４から、ユーザによる動画ファイル４１の選択入力を受け付ける（ステップＳ２０３）。ここで、制御部３１は、例えば、ディスプレイに記憶部３２に記憶する動画ファイルのリスト画面をディスプレイに表示させ、ユーザはプロジェクター５で再生したい動画ファイルをマウス等で選択する。
【００２４】
制御部３１の再生可否判定手段１０２は、選択された動画ファイル４１を読み出し（ステップＳ２０４）、動画ファイル４１のヘッダー情報から属性情報を取得する（ステップ２０５）。再生可否判定手段１０２は、取得した動画ファイル４１の属性情報とプロジェクター５のスペック情報６１とを比較して、プロジェクター５で動画ファイル４１が再生可能かどうかを判定する（ステップＳ２０６）。
【００２５】
ここで、上述したように、スペック情報６１は、プロジェクター５が有するコーデック、解像度、ビットレートといったプロジェクター５の動画再生性能に関する情報であり、動画ファイル４１の属性情報は、動画ファイル４１の再生に必要なコーデック、解像度、ビットレートに関する情報である。
ステップＳ２０６において、再生可否判定手段１０２は、動画ファイル４１の属性情報のコーデックとスペック情報６１のコーデックが一致し、かつ、動画ファイル４１の属性情報の解像度がスペック情報６１の解像度の範囲内であり、かつ、動画ファイル４１の属性情報のビットレートがスペック情報６１のビットレートの範囲内である場合に、動画ファイル４１はプロジェクター５にて再生可能であると判定され、それ以外の場合は再生不可と判定される。
【００２６】
再生可否判定手段１０２によって動画ファイル４１がプロジェクター５で再生可能と判定された場合（ステップＳ２０６で「Ｙｅｓ」）、データ送信手段１０４は、ネットワーク通信部３６から動画ファイル４１のデータを送信する（ステップＳ２０７）。プロジェクター５は、送信されたデータをネットワーク通信部５６で受信し、制御部５１はデータバッファなどの記憶部５２にデータを記憶し、自身の有するコーデックを使用してデータを読み出し、出力部５５に出力し、動画を再生する（ステップＳ２０８）。ステップＳ２０７とステップＳ２０８の処理は、動画ファイル４１の全てのデータが送信、再生されるまで繰り返し行われる。
【００２７】
再生可否判定手段１０２によって動画ファイル４１がプロジェクター５で再生不可能と判定された場合（ステップＳ２０６で「Ｎｏ」）、警告出力手段１０３は、出力部３に警告を出力する（ステップＳ２０９）。動画ファイル４１がプロジェクター５で再生不可能と判定された場合、警告出力手段１０３は、例えば、コンピューター３のディスプレイに「この動画ファイルはプロジェクターに対応していません」あるいは「この動画ファイルを再生するために必要なコーデックがプロジェクターに存在しません」などの警告を表示する。また、スピーカ等から警告音を出力してもよい。
【００２８】
このように本実施の形態によれば、コンピューター３はプロジェクター５のスペック情報６１に適合した動画ファイル４１のデータを確実に送信するため、プロジェクター５において確実に動画ファイルを再生することが可能である。また、動画ファイル４１がプロジェクター５のスペック情報６１に適合しない場合、即ち、プロジェクター５が動画ファイル４１を再生できない場合は、コンピューター３が警告を出力するため、ユーザはプロジェクター５が動画を再生しない原因を容易に知ることが可能となる。
なお、本実施の形態では、動画ファイルのデータを例に説明したが、コンピューター３からプロジェクター５に送信するデータが画像データ或いは音声データであっても本実施形態が適用可能である。
【００２９】
以上説明したスペック情報受信手段１０１、再生可否判定手段１０２、警告出力手段１０３、データ送信手段１０４の各処理を実現するプログラムを作成し、汎用のコンピューターがそのプログラムを読み込んで画像供給装置を実現することも可能である。このプログラムは、ＣＤ−ＲＯＭ等の記録媒体に記録させて流通させてもよいし、ネットワークを介して流通させることも可能である。
【符号の説明】
【００３０】
１  画像供給システム
３  コンピューター
５  プロジェクター
３１  制御部
３２  記憶部
３４  入力部
３５  出力部
３６  ネットワーク通信部
４１  動画ファイル
５１  制御部
５２  記憶部
５４  入力部
５５  出力部
５６  ネットワーク通信部
６１  スペック情報
１０１  スペック情報受信手段
１０２  再生可否判定手段
１０３  警告出力手段
１０４  データ送信手段
【図１】
2010232760.tif 000003
【図２】
2010232760.tif 000004
【図３】
2010232760.tif 000005